(57)【要約】      （修正有）【課題】小型シリンジ、例えばサイズが１ｃｃ未満のシリンジへの適用できる安全な使い捨てシリンジを提供する。【解決手段】安全な使い捨てシリンジは、注射外筒３と、注射外筒３に伸展するプランジャー５と、プランジャー５に搭載され、第１係合部材６１１’により形成されるピストン６と、注射外筒３に適切に伸展し、注射外筒３に配置される後端面を有する針座４を含む。針座４は後端面ら伸展し、第２係合部材４４’により形成される流路４６を規定する。流路４６は、後端面で停止する停止端を有する。第２係合部材４４’は、後端面で停止する停止端を有し、流路４６の停止端から離れて配置される。流路４６は、針座４の外面の軸に沿って、針座４の外面から内側に向かって放射状にへこんでいる。【選択図】図２
2010259718.tif 000002
【特許請求の範囲】
【請求項１】
注射外筒(３)が前および後開口端(３１、３２)を有し、そこに薬剤を受けるためのチャンバー(３０)および軸Ｘを規定し、
プランジャー(５)が前記後開口端(３２)から前記チャンバー(３０)の中へ伸展し、前端部(５１)を有し、
前記プランジャー(５)が前記前端部(５１)上に搭載され、第１係合部材(６１１’)より形成され、
カニューレ(２)を有し、
針座(４)が前記注射外筒(３)の前開口端(３１)から適切に伸展し、前記チャンバー(３０)の前端部(４１)および前記チャンバー(３０)に外向きに配置される後端部(４２)を有し、前記ピストン(６)の正面に後端面(４２０)を有していて、前記針座(４)が、前記針座(４)の前記前端部(４１)を通ってカニューレ(２)がその中へ伸展するための中心溝(４５)と、前記針座(４)の前記後端部(４２)の前記後端面(４２０)から伸展し、前記中心溝(４５)および前記チャンバー(３０)と連絡して液体を流す流路(４６)とを規定し、前記針座(４)の前記後端部(４２)の前記後端面(４２０)は、軸的に並べられ、前記第１係合部材(６１１’)と係合可能な第２係合部材(４４’)により形成されていて、
前記流路(４６)が前記針座(４)の前記後端部(４２)の前記後端面(４２０)で停止する第１停止端(４６０)および前記第１停止端(４６０)反対側にあって、前記針座(４)の前記後端部(４２)の前記後端面(４２０)で停止する第２停止端(４６５)を有することを特徴とし、
第２係合部材(４４’)が、前記針座(４)の前記後端部(４２)の前記後端面(４２０)で停止し、前記流路(４６)の前記第１停止端(４６０)から離れて配置されている停止端（４４０）を有することを特徴とし、
前記針座(４)が、前記軸（Ｘ）周囲に外面を有し、前記流路（４６）が概してＵ形であり、前記外面に沿って放射状に伸展し、前記放射状伸展セクション(４６２)の２つの端部から前記第１および第２停止端（４６０、４６５）までそれぞれ伸展する２つの軸的伸展セクション(４６２)を有することを特徴とし、
前記流路(４６)が、前記針座(４)の前記外面の軸に沿って、前記針座(４)の前記外面から内側に向かって放射状にへこんでいることを特徴とする、安全な使い捨てシリンジ。
【請求項２】
前記第１および第２係合部材(６１１’、４４’)が、舌‐溝係合法で互いに係合可能である、請求項１に記載の安全な使い捨てシリンジ。
【請求項３】
ピストン(６)が、前記第１係合部材(６１１’)を規定する係合溝(６１１)により形成され、前記針座(４)の前記後端部(４２)の前記後端面(４２０)が、前記第２係合部材(４４’)を規定する係止舌(４４)により形成される、請求項２に記載の安全な使い捨てシリンジ。
【請求項４】
前記流路(４６)の容積が前記係合溝(６１１)と実質的に同じである、請求項３に記載の安全な使い捨てシリンジ。
【請求項５】
前記流路(４６)の前記各軸的伸展セクション(４６１)が前記軸（Ｘ）に対し放射状方向に奥行（ｄ）をとり、放射状方向および軸（Ｘ）に対し水平方向に幅（ｗ）をとっていて、前記流路(４６)の前記各軸的伸展セクション(４６１)の前記幅と前記針座(４)の前記後端部(４２)の周長との比が１／１５未満であることと、前記流路(４６)の前記各軸的伸展セクション(４６１)の前記奥行と前記針座(４)の前記後端部(４２)の径との比が１／７未満である、請求項１に記載の安全な使い捨てシリンジ。
【請求項６】
前記針座(４)が一体成形の形態であり、前記係止舌(４４)が、前記注射外筒(３)の前記軸（Ｘ）に沿って伸展し、前記流路（４６）の前記第１および第２停止端（４６０、４６５）が前記係止舌(４４)の両側に配置される、請求項３に記載の安全な使い捨てシリンジ。
【請求項７】
前記針座(４)の前記前端部(４１)が前記前端面(４１０)を有し、前記中心溝(４５)が、前記針座(４)の前記前端部(４１)の前記前端面(４１０)から伸展する第１セクション(４５１)と、前記第１セクション(４５１)から伸展する第２セクション(４５２)と、前記第２セクション(４５２)から伸展する第３セクション(４５３)と、前記第３セクション(４５３)から前記流路(４６)まで伸展する第４セクション(４５４)とを有し、前記第１セクション(４５１)が前記針座(４)の前記前端部(４１)の前記前端面(４１０)から前記第２セクション(４５２)の隣接端までの範囲に収束し、前記第２セクション(４５２)が前記第１セクション（４５１）の隣接端から前記第３セクション（４５３）の隣接端までの範囲に広がり、前記第１セクション（４５１）と前記第２セクション（４５２）との間にくびれ（４５５）を形成し、前記カニューレ（２）を収縮させる、請求項３に記載の安全な使い捨てシリンジ。
【請求項８】
前記針座（４）がそこに前記中心溝（４５）を規定する筒状壁部（４０）を有し、多数の角変位のあるフィン（４３）が前記筒状壁部（４０）の外面から放射状に広がり、前記注射外筒（３）の前記前開口端（３１）の内面と摩擦接触している、請求項１に記載の安全な使い捨てシリンジ。
【請求項９】
前記注射外筒（３）が、後端部の内面が前記注射外筒（３）の前記後開口端（３２）から伸展する円筒形後セグメント（３２１）と、中央セグメント（３２３）と、前記後セグメント（３２１）と前記中央セグメント（３２３）とを相互に接続し、前記後セグメント（３２１）から前記中央セグメント（３２３）まで横断する移行セグメント（３２２）とを有する後端部をさらに有し、前記プランジャー（５）が前記前端部（５１）と後端部（５２）との間に配置される環状ノッチ（５１３）と、前記環状ノッチ（５１３）から軸的に離れて配置されている第１環状フランジ（５１２）と、前記環状ノッチ（５１３）と前記第１環状フランジ（５１２）との間に配置される第２環状フランジ（５１２’）により形成され、第２環状フランジ（５１２’）が前記注射外筒（３）の前記後セグメントと実質的に同じ面積を有し、第１環状フランジ（５１２）が前記注射外筒（３）の前記移行セグメント（３２２）と実質的に同じ面積を有する、請求項１に記載の安全な使い捨てシリンジ。
【請求項１０】
前記注射外筒（３）の前記軸（Ｘ）に対し前記係止舌（４４）が傾いていて、前記注射外筒（３）の前記軸（Ｘ）に沿って前記係合溝（６１１）が伸展する、請求項１１に記載の安全な使い捨てシリンジ。
【請求項１１】
前記針座（４）の前記後端部（４２）が首部（４２１）により形成され、前記注射外筒（３）が前記注射外筒（３）の前記前開口端（３１）に隣接して配置される内部肩（３１１１）により形成され、前記針座（４）の前記後端部（４２）の前記首部（４２１）と接触する、請求項１に記載の安全な使い捨てシリンジ。
【請求項１２】
前記針座（４）が環状固定溝（４３１）により形成され、前記安全な使い捨てシリンジが前記固定溝（４３１）に固定され、前記注射外筒（３）の前記前開口端（３１）と密封接触する密封環（４７）をさらに備える、請求項１に記載の安全な使い捨てシリンジ。
【発明の詳細な説明】
【技術分野】
【０００１】
本発明は、安全な使い捨てシリンジ、より具体的には注射外筒およびカニューレを備えた針座を含み、シリンジを廃棄する前にカニューレを注射外筒に引き込むためにプランジャー上のピストンと係合可能な安全なシリンジに関する。
【背景技術】
【０００２】
図１は、注射外筒１１と、注射外筒１１まで伸展するプランジャー１４と、プランジャー１４上に搭載され、係合溝１５１により形成されるピストン１５と、注射外筒１１まで伸展する針座１３とを含み、カニューレ１６に接続され、係合溝１５１と係合し得る係止舌１３１により形成されるため、カニューレ１６を注射外筒１１に引き込んだ後、安全な使い捨てシリンジを廃棄することができる安全な使い捨てシリンジを示す。針座１３は、カニューレ１６がその中へ伸展する針溝１３３および針溝１３３の一端から係止舌１３１の端面１３１１を通って伸展する流路１３３より形成されるため、カニューレ１６と注射外筒１１チャンバーの間を液体が流れるようになる。しかし、流路１３２は係止舌１３１を通過するため、係止舌１３１のサイズを大きくし、その中に流路１３２を形成できるようにする必要がある。そのため、前述の安全な使い捨てシリンジのデザインは、小型シリンジ、例えばサイズが１ｃｃ未満のシリンジへの適用には適さない。
【発明の概要】
【発明が解決しようとする課題】
【０００３】
本発明の目的は、先行技術に関する前述の欠点を克服する安全な使い捨てシリンジを提供することである。
【課題を解決するための手段】
【０００４】
本発明によると、安全な使い捨てシリンジは、前開口端および後開口端を有し、そこにチャンバーおよび軸を規定する注射外筒と、後開口端からチャンバーの中へ伸展し、前端部を有するプランジャーと、プランジャーの前端部上に搭載され、第１係合部材により形成されるピストンと、カニューレと、注射外筒の前開口端から適切に伸展し、チャンバーに外向きに配置される前端部を有する針座と、チャンバーに配置され、ピストンの正面に後端面を有する後端部とを備える。針座は、針座の前端部を通ってカニューレがその中へ伸展する中心溝と、針座の後端部の後端面から伸展し、中心溝およびチャンバーと連絡して液体を流す流路とを規定する。針座の後端部の後端面は、軸的に並べられ、第１係合部材と係合可能な第２係合部材により形成される。流路は、針座の後端部の後端面で停止する第１停止端と、第１停止端の反対側にあって、針座の後端部の後端面で停止する第２停止端を有する。第２係合部材は、針座の後端部の後端面で停止し、流路の第１停止端から離れて配置されている停止端を有する。針座は、軸周囲に外面を有する。流路は概してＵ形であり、外面に沿って放射状に伸展する放射状伸展セクションと、放射状伸展セクションの２つの端部から第１および第２停止端までそれぞれ伸展する２つの軸的伸展セクションとを有する。流路は、外面の縦軸に沿って外面から内側に向かって放射状にへこんでいる。
【図面の簡単な説明】
【０００５】
本発明のその他の特性および長所は、添付図面とともに、本発明の好適な実施形態についての以下の詳細な説明により明らかになる。
【図１】従来の安全な使い捨てシリンジの部分断面図。
【図２】本発明による安全な使い捨てシリンジの好適な第１実施形態の拡大透視図。
【図３】第１実施形態の上面図。
【図４】好適な第１実施形態の断片的な部分断面図。
【図５】好適な第１実施形態の針座の断面図。
【図６】注射外筒中の液体が、好適な第１実施形態の流路およびカニューレを通る仕組みを例示する断片的な部分断面図。
【図７】ピストンが好適な第１実施形態の針座と係合する仕組みを示す断片的な部分断面図。
【図８】針座とカニューレが好適な第１実施形態の注射外筒に引き込まれる仕組みを示す断片的な部分断面図。
【図９】針が好適な第１実施形態の注射外筒に引き込まれたあとに、プランジャーの一部が除去される仕組みを示す断片的な部分断面図。
【図１０】本発明による安全な使い捨てシリンジの好適な第２実施形態の針座の断面図。
【図１１】針座とカニューレが、好適な第２実施形態の注射外筒に引き込まれたあと、軸に対し特定の角度で傾いている状態を示す部分断面図。
【発明を実施するための形態】
【０００６】
本発明をより詳細に説明する前に、同一の参照番号を用いて本明細書の同要素を示すべきである。
【０００７】
図２〜５を参照すると、本発明による安全な使い捨てシリンジの好適な第１実施形態は、前および後開口端３１、３２を有し、そこに薬剤を受けるためのチャンバー３０および軸（Ｘ）を規定する注射外筒３と、後開口端３２からチャンバー３０の中へ伸展し、突出部５１１により形成される前端部５１を有するプランジャー５と、プランジャー５の前端部５１上に搭載され、そこに突出部５１１を伸展させるための後穴６２１および後穴６２１の反対側の第１係合部材６１１’により形成されるピストン６と、カニューレ２と、注射外筒３の前開口端３１から適切に伸展し、チャンバー３０に外向きに配置される前端部４１およびチャンバー３０に配置される後端部４２を有し、ピストン６の正面に後端面４２０を有する針座４を含むことが示される。針座４は、軸（Ｘ）周囲に外面をさらに有し、針座４の前端部４１を通ってカニューレ２がその中へ伸展するための中心溝４５と、針座４の後端部４２の後端面４２０から伸展し、中心溝４５およびチャンバー３０と連絡して液体を流す流路４６とを規定する。針座４の後端部４２の後端面４２０は、軸的に並べられ、第１係合部材６１１’と係合可能な第２係合部材４４’により形成される（図７参照）。流路４６は概してＵ形であり、針座４の後端部４２の後端面４２０で停止する第１停止端４６０（図５参照）および針座４の後端部４２の後端面４２０で停止する第２停止端４６５とを有する。第２係合部材４４’は、針座４の後端部４２の後端面４２０で停止し（図５参照）、流路４６の第１停止端４６０から離れて配置されている停止端４４０を有する。流路４６は、外面に沿って放射状に伸展する放射状伸展セクション４６２と、放射状伸展セクション４６２の２つの端部から第１および第２停止端４６０、４６５までそれぞれ伸展する２つの軸的伸展セクションとを有する。この流路４６は、針座４の外面の軸に沿って、針座４の外面から内側に向かって放射状にへこんでいる。
【０００８】
好ましくは、第１および第２係合部材６１１’、４４’は、舌‐溝係合法で互いに係合可能にする。本実施形態では、ピストン６は、第１係合部材６１１’を規定する係合溝６１１により形成され、針座４の後端部４２の後端面４２０は、第２係合部材４４’を規定する係止舌４４により形成される。
【０００９】
好ましくは、流路４６の容積は係合溝６１１と実質的に同じであるため、注射外筒３で受け取った薬剤全部が押し出された場合、係合溝６１１と係止舌４４とを係合した後、係合溝６１１に閉じ込められた空気を用いて、流路４６中の残りの薬剤を押し出すことができる。これにより、薬剤の無駄な使用を避けられる。
【００１０】
本実施形態では、流路４６の各軸的伸展セクション４６１は軸（Ｘ）に対し放射状方向に奥行（ｄ）をとり、放射状方向および軸（Ｘ）に対し水平方向に幅（ｗ）をとる。流路４６の各軸的伸展セクション４６１の幅と針座４の後端部４２の周長との比は、好ましくは１／１５未満である。流路４６の各軸的伸展セクション４６１の奥行と針座４の後端部４２の径との比は、好ましくは１／７未満である。本実施形態では、流路４６の各軸的伸展セクション４６１の幅は０．５  ｍｍ、流路４６の各軸的伸展セクション４６１の奥行は０．５  ｍｍである。
【００１１】
本実施形態では、針座４は一体成形の形態である。係止舌４４は、注射外筒３の軸（Ｘ）に沿って伸展する。流路４６の第１および第２停止端４６０、４６５は、係止舌４４の両側に配置される。
【００１２】
針座４の前端部４１は、前端面４１０を有する。中心溝４５は、針座４の前端部４１の前端面４１０から伸展する第１セクション４５１と、第１セクション４５１から伸展する第２セクション４５２と、第２セクション４５２から伸展する第３セクション４５３と、第３セクション４５３から流路４６まで伸展する第４セクション４５４とを有する。第１セクション４５１は、針座４の前端部４１の前端面４１０から第２セクション４５２の隣接端４５１までの範囲に収れんする。第２セクション４５２は、第１セクション４５１の隣接端から第３セクション４５３の隣接端までの範囲に広がり、第１セクション４５１と第２セクション４５２との間にくびれ４５５を形成し、カニューレ２を収縮させる。接着剤８は、中心溝４５の第１セクション４５１に充填され、カニューレ２を針座４に固定する。針座４の後端部４２は、首部４２１により形成される。注射外筒３は、注射外筒３の前開口端３１に隣接して配置される内部肩３１１１により形成され、針座４の後端部４２の首部４２１と接触し、針座４が注射外筒３の前開口部３１から偶発的に外れるのを防止する。
【００１３】
針座４は、そこに中心溝４５を規定する筒状壁部４０（図２および５参照）を有し、多数の角変位のあるフィン４３が筒状壁部４０の外面から放射状に広がり、注射外筒３の前開口端３１の内面と摩擦接触し、環状フランジ４７１がフィン４３の端部に接続される。針座４は、環状フランジ４７１と流路４６の放射状進展セクション４６２との間の環状固定溝４３１により形成される。密封環４７は固定溝４３１に固定され、注射外筒３の前開口端３１の内面と密封接触する。
【００１４】
注射外筒３の後端部の内面は、注射外筒３の後開口端３２から伸展する円筒形後セグメント３２１と、中央セグメント３２３と、後セグメント３２１と中央セグメント３２３とを相互に接続し、後セグメント３２１から中央セグメント３２３まで横断する移行セグメント３２２とを有する。プランジャー５は後端部５２をさらに有し、プランジャー５の前端部５１と後端部５２との間に配置される環状ノッチ５１３と、環状ノッチ５１３から軸的に離れて配置されている第１環状フランジ５１２と、環状ノッチ５１３と第１環状フランジ５１２との間に配置される第２環状フランジ５１２’により形成される。環状ノッチ５１３は、第２環状フランジ５１２’とプランジャー５の後端部５２との間に配置される。第２環状フランジ５１２’は、注射外筒３の後セグメントと実質的に同じ面積を有する。第１環状フランジ５１２は、注射外筒３の移行セグメント３２２と実質的に同じ面積を有する。
【００１５】
図６〜８を参照すると、操作において、注射外筒３内の液体９は、プランジャー５に作用する外力により押され、流路４６およびカニューレ２を通って患者に注入される。図７でわかりやすく例示しているとおり、ピストン６の係合溝６１１と係止舌４４とを完全に係合させると、そこから注射外筒３中の液体９が完全に放出される。図８でくわしく例示しているとおり、使用後、安全な使い捨てシリンジを廃棄する際に、プランジャー５を後ろに引いて針座４およびカニューレ２を注射外筒３に入れる。プランジャー５の第１環状フランジ５１２と注射外筒３の後端部の内面の移行セグメント３２２とが接合されると、プランジャー５がさらに後方に動くのが防止される。この状態で、環状ノッチ５１３は、注射外筒３の後端面３２０と実質的に面一になり、それにより環状ノッチ５１３でプランジャー５を切り離せるようになる（図９参照）。
【００１６】
図１０および１１は、本発明による安全な使い捨てシリンジの好適な第２実施形態を示す。好適な第２実施形態は、注射外筒３の軸（Ｘ）に対し係止舌４４が傾いていて、注射外筒３の軸（Ｘ）に沿って係合溝６１１が伸展する点で前の実施形態と異なっている。
【００１７】
好適な実施形態で例示しているとおり、流路４６が第２係合部材４４’（例、針座４の後端４２の後端面４２０に形成される係止舌４４等）を貫通しないように流路４６を形成することにより、プランジャー５を用いて針座４を引いて注射外筒３に入れられるように第２係合部材４４’のサイズを可能な限り小さく、第１係合部材６１１’と第２係合部材４４’の間に可能な限り長く保てるようにし、それにより先行技術に関する前述の欠点を取り除く。
【００１８】
本発明は、もっとも実用的かつ好適な実施形態と考えられるものに関連付けて述べてきたが、本発明は開示された実施形態に限定されるものではなく、もっとも広い解釈の精神と範囲を含む様々な構成および等価物も対象とするものである。
【符号の説明】
【００１９】
２カニューレ
３注射外筒
４針座
５プランジャー
６ピストン
８接着剤
９液体
１１注射外筒
１３針座
１４プランジャー
１５ピストン
１６カニューレ
３０チャンバー
３１前開口端
３２後開口端
４０筒状壁部
４１前端部
４２後端部
４３フィン
４４（４４‘）第２係合部材
４５中心溝
４６流路
４７密封環
５１前端部
５２後端部
１３１係止舌
１３２流路
１３３針溝
１３１１端面
１５１係合溝
３２０後端面
３２１後セグメント
３２２移行セグメント
３２３中央セグメント
４１０前端面
４２０後端面
４２１首部
４３１環状固定溝
４４０停止端
４５１第１セクション
４５２第２セクション
４５３第３セクション
４５４第４セクション
４５５くびれ
４６０第１停止端
４６１軸的伸展セクション
４６２放射状伸展セクション
４６５第２停止端
４７１環状フランジ
３１１１内部肩
５１１突出部
５１２第１環状フランジ５１２
５１２‘第２環状フランジ５１２’
５１３環状ノッチ
６１１（６１１’）第１係合部材
６２１後穴
Ｘ軸
ｗ幅
ｄ奥行
【図１】
2010259718.tif 000003
【図２】
2010259718.tif 000004
【図３】
2010259718.tif 000005
【図４】
2010259718.tif 000006
【図５】
2010259718.tif 000007
【図６】
2010259718.tif 000008
【図７】
2010259718.tif 000009
【図８】
2010259718.tif 000010
【図９】
2010259718.tif 000011
【図１０】
2010259718.tif 000012
【図１１】
2010259718.tif 000013
【外国語明細書】
2010259718000001.pdf